【事件の表示】
　特願２０１４−５４９５３８「レーザ走査顕微鏡を備えた測定システムによる試料の３次元測定方法及びシステム」拒絶査定不服審判事件〔平成２５年　７月　４日国際公開、ＷＯ２０１３／０９８５６７、平成２７年　４月３０日国内公表、特表２０１５−５１３０６５、請求項の数（２６）〕について、次のとおり審決する。
【結　論】
　原査定を取り消す。
　本願の発明は、特許すべきものとする。
【理　由】
第１　手続の経緯
　本願は、２０１２年１月５日（パリ条約による優先権主張　２０１１年１２月２８日、ハンガリー）を国際出願日とする出願であって、平成２６年８月６日付けで、国際出願翻訳文及び特許協力条約第３４条補正の翻訳文が提出され、平成２７年７月２８日付けで拒絶理由が通知され、平成２７年１０月２３日付けで手続補正がなされたが、平成２８年３月８日付けで拒絶査定がなされ、これに対し、平成２８年７月１９日に拒絶査定不服審判が請求され、同時に手続補正がなされたものである。
第２　原査定の概要
　原査定（平成２８年３月８日付け拒絶査定）の概要は、次の１．〜３．のとおりである（なお、請求項の項番は、平成２７年１０月２３日付けの手続補正書により補正された特許請求の範囲に記載された請求項の項番である。）。
１．理由２（明確性）
　この出願は、特許請求の範囲の記載が下記の点で、特許法第３６条第６項第２号に規定する要件を満たしていない。
　　　　　　　　　　　　　　　　記
　請求項２２，２３には「波長」と記載されているが、何の波長であるのか明瞭でない。
２．理由３（産業上の利用可能性）
　この出願の下記の請求項に係る発明は、下記の点で特許法第２９条第１項柱書に規定する要件を満たしていないから、特許を受けることができない。
　請求項１、６、７、段落００３７、００３８の記載より、請求項１−１８に係る発明には、人間の手術、治療、診断等の医療行為が含まれていると解釈せざるを得ない。
　したがって、請求項１−１８に係る発明は「人間を手術、治療又は診断する方法」に該当する。
　よって、請求項１−１８に係る発明は特許法第２９条第１項柱書でいう産業上利用することができる発明に該当しないから、同項柱書に規定する要件を満たしていない。
３．理由４（進歩性）
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　　１−３，１９−２６
・引用文献等　１−４
・備考
　引用例１にはレーザ走査顕微鏡を用いる旨の記載はないが、レーザ走査顕微鏡は、引用例２（要約欄等）、引用例３（要約欄等）、引用例４（要約欄等）に記載されているように当業者に周知のものであり、音響光学素子等の走査手段も周知であるから、当該周知のものを引用例１記載の発明に適用することにより本願発明を想到することは、当業者が容易になし得たことである。
・請求項　　　４−１１
・引用文献等　１−５
　引用例５の段落０００３には、「得られた三次元形状は、一般的には対象物表面の各計測点の３次元位置座標の集合として表され、該集合はポイントフォグと呼ばれる。」と記載されている。
・請求項　　　１２−１８
・引用文献等　１−６
　裸眼立体ディスプレイは周知である（例えば引用例６要約欄等参照。）。
　　　　　　　　　　　　　＜引用文献等一覧＞
１.特表２００８−５００６２４号公報
２.国際公開第２０１０／００７４５２号（周知技術を示す文献）
３.特開２０１０−２６６４６１号公報（周知技術を示す文献）
４.特開２０１０−２６６７０９号公報
５.特開２００６−７２８７３号公報
６.特開２０１１−２１５１７６号公報（周知技術を示す文献）
第３　審判請求時の補正について
　審判請求時の補正（以下、「本件補正」という。）は、特許法第１７条の２第３項から第６項までの要件に違反しているものとはいえない。
　審判請求時の補正について、本件補正前の請求項１、１９に記載された「レーザ走査顕微鏡」に「その３次元測定空間で動作する」という事項を追加する補正、及び、本件補正前の請求項１、１９に記載された「オペレーション」に「（人間の手術を除く）」という事項を追加する補正は、特許請求の範囲の減縮を目的とするものである。
　そして、「第４　本願発明」から「第６　対比・判断」まで、及び「第７　原査定について」「１．」「２．」に示すように、補正後の請求項１〜２６に係る発明は、独立特許要件を満たすものである。
第４　本願発明
　本願の請求項１〜２６に係る発明（以下、それぞれ「本願発明１」〜「本願発明２６」という。）は、平成２８年７月１９日付けの手続補正で補正された特許請求の範囲の請求項１〜２６に記載された事項により特定される発明であり、以下のとおりの発明である。
「【請求項１】
　３次元測定空間を有するとともに、その３次元測定空間で動作するレーザ走査顕微鏡を備えた測定システムによる、試料の３次元測定のための方法であって、
　３次元仮想現実装置を前記測定システムに設けることと、
　前記測定空間から離隔した実空間領域内に、前記３次元仮想現実装置を用いて、前記測定空間の３次元仮想空間を作成することと、
　オペレーション（人間の手術を除く）を選択するための３次元入力装置を前記３次元仮想現実装置に設けることと、
　前記３次元入力装置の空間位置が仮想３次元入力装置の空間位置と一致するか、または、それに対して所定の空間ベクトルでオフセットするように、前記３次元仮想現実装置を用いて前記仮想３次元入力装置を作成することと、
　前記３次元入力装置の実空間位置を追跡し、前記仮想３次元入力装置を前記仮想空間の対応する位置に表示し、前記仮想３次元入力装置によって前記仮想空間でオペレーションを選択することを許可することと、
　前記仮想空間で選択されたオペレーションが前記測定空間で実行されて、前記測定空間で測定されたデータが前記仮想空間でリアルタイムに表示されるように、前記測定空間と前記仮想空間との間に双方向のリアルタイム接続を提供すること、とを有する
　ことを特徴とする方法。
　　【請求項２】
　前記レーザ走査顕微鏡の測定空間内に配置された試料または試料の一部を３次元で走査することと、
　走査された前記試料を前記仮想空間に表示することと、
　少なくとも１つの点及び／または曲線及び／または領域を含む仮想コンフィギュレーションを選択することを許可することと、
　前記仮想コンフィギュレーションに対応する前記測定空間の座標を算出することと、
　前記測定空間の座標に基づいて、前記仮想コンフィギュレーションに従って前記試料を走査するとともに走査の最中に前記試料で測定及び／またはインタラクションを実行するように、前記レーザ走査顕微鏡を制御することと、とを有する
　請求項１に記載の方法。
　　【請求項３】
　前記試料の前記３次元走査の過程で、前記レーザ走査顕微鏡の光軸と直交または交差する複数の平面において前記試料を走査することと、
　走査された前記平面を前記仮想空間に表示することと、とを有する　請求項２に記載の方法。
　　【請求項４】
　走査された前記試料またはその一部を、前記仮想空間に空間フォグとして表示する　請求項３に記載の方法。
　　【請求項５】
　走査された前記試料またはその一部を、前記仮想空間に空間的表面要素として表示することと、３次元効果を高めるために１つ以上の模擬光源を使用することと、とを有する　請求項３に記載の方法。
　　【請求項６】
　物理的オペレーションを実行するように機能するオペレーション装置であって、測定用レーザ光線と同時に作動し得るオペレーション装置を、前記測定システムに設けることと、
　前記測定空間における前記オペレーション装置のオペレーションを、前記仮想空間で選択することと、
　前記仮想空間で選択された前記オペレーションを、前記測定空間において前記オペレーション装置により実行することと、とを有する
　請求項１ないし５のいずれかに記載の方法。
　　【請求項７】
　前記物理的オペレーションは、物理的インタラクション、または物理パラメータの測定であり、前記物理的オペレーションを実行するように機能する前記オペレーション装置は、レーザアブレーション装置、超音波凝固器、レーザ凝固器、マイクロインジェクタ、真空吸引装置、光ケーブル、プリズム、グリッドレンズ、電気刺激装置、試料に挿入される電極である測定装置、パッチクランプ法のためのマイクロピペット、細胞外記録用電極、内視鏡装置、電気泳動装置である
　請求項６に記載の方法。
　　【請求項８】
　３次元入力装置が３次元マーカである
　請求項１ないし７のいずれかに記載の方法。
　　【請求項９】
　その座標系が前記仮想空間と同期されているとともに、オペレーションを選択するための３次元空間曲線及び点を描画及び選択するのに適した、３次元マウスまたは機械的アームを、前記３次元仮想現実装置に設ける
　請求項６に記載の方法。
　　【請求項１０】
　オペレーションを選択するために設けられた前記３次元入力装置のポインティングデバイスの空間位置は、該装置に属する仮想マーカの空間位置と一致しているか、または、それに対して所定の空間ベクトルでオフセットしている
　請求項９に記載の方法。
　　【請求項１１】
　３次元入力装置及び（該入力装置により駆動される）そのオプションの３次元仮想マーカの所与の局所仮想環境における仮想現実の光学コントラストまたは視認性を変更することで、インタラクションをより良好に表示するためにコントラストを高める
　請求項６ないし１０のいずれかに記載の方法。
　　【請求項１２】
　前記測定空間で測定されたデータを表示するために、裸眼立体ディスプレイである３次元表示装置を、前記３次元仮想現実装置内に設ける
　請求項１ないし１１のいずれかに記載の方法。
　　【請求項１３】
　前記測定空間で測定されたデータを表示するために、立体ディスプレイである３次元表示装置と、眼鏡である能動型または受動型の立体視ユーザデバイスとを、前記３次元仮想現実装置に設ける
　請求項１ないし１２のいずれかに記載の方法。
　　【請求項１４】
　前記３次元仮想現実装置内で頭部位置追跡を提供することと、ユーザの頭部の位置に応じて前記３次元表示装置により前記仮想空間を表示することと、とを有する
　請求項１２または１３に記載の方法。
　　【請求項１５】
　複数の３次元仮想現実装置を、前記測定システムに設けることと、
　複数のユーザのために、前記測定空間の複数の３次元仮想空間を、前記複数の３次元仮想現実装置により作成することと、とを有する
　請求項１ないし１４のいずれかに記載の方法。
　　【請求項１６】
　前記複数の３次元仮想現実装置と前記測定システムとの間に、ローカルネットワークまたはグローバルネットワークを介したリアルタイム接続を提供する
　請求項１５に記載の方法。
　　【請求項１７】
　複数の測定システムのための共通の３次元仮想現実装置を設けることと、該複数の測定空間の共通の３次元仮想空間を前記共通の３次元仮想現実装置により作成することと、とを有する
　請求項１に記載の方法。
　　【請求項１８】
　前記測定システムは、２光子レーザ走査顕微鏡または共焦点レーザ走査顕微鏡を備える　請求項１ないし１７のいずれかに記載の方法
　　【請求項１９】
　試料の３次元測定のための測定システムであって、該測定システムは、３次元測定空間を有するとともに、その３次元測定空間で動作するレーザ走査顕微鏡を備え、
　前記測定空間から離隔した実空間領域内に前記測定空間の３次元仮想空間を表示するための３次元仮想現実装置をさらに備え、前記レーザ走査顕微鏡と前記３次元仮想現実装置との間に双方向のリアルタイム接続が提供され、
　オペレーション（人間の手術を除く）を選択するための３次元入力装置が前記３次元仮想現実装置に設けられ、
　前記３次元入力装置の空間位置が仮想３次元入力装置の空間位置と一致するか、または、それに対して所定の空間ベクトルでオフセットするように、前記３次元仮想現実装置を用いて前記仮想３次元入力装置が作成され、
　前記３次元入力装置の実空間位置を追跡し、前記仮想３次元入力装置を前記仮想空間の対応する位置に表示し、前記仮想３次元入力装置によって前記仮想空間でオペレーションを選択することを許可され、
　前記仮想空間で選択されたオペレーションが前記測定空間で実行されて、前記測定空間で測定されたデータが前記仮想空間でリアルタイムに表示される
　ことを特徴とする測定システム。
　　【請求項２０】
　物理的オペレーションを実行するためのオペレーション装置を備え、前記オペレーション装置と前記３次元仮想現実装置との間に単方向または双方向のリアルタイム接続が提供される
　請求項１９に記載の測定システム。
　　【請求項２１】
　試料の３次元測定のための測定システムであって、該測定システムは、３次元測定空間を有するとともに、レーザ走査顕微鏡及びオプションとして他のオペレーション装置を備え、さらに制御システムが設けられていて、
　請求項１ないし１８のいずれかに記載の方法を実行するために、前記制御システムとの双方向のリアルタイム接続を有する３次元仮想現実装置を備える
　ことを特徴とする測定システム。
　　【請求項２２】
　前記３次元測定を前記レーザ走査顕微鏡の複数の周波数で同時または略同時に行う
　請求項１ないし１８のいずれかに記載の方法。
　　【請求項２３】
　前記レーザ走査顕微鏡の複数の周波数で測定することと、同時または略同時に複数の周波数で物理的オペレーションを実行することと、とを有する
　請求項２２に記載の方法。
　　【請求項２４】
　前記３次元レーザ走査顕微鏡での機械的変位により、ｚ焦点合わせ及び／またはｘｙ走査を提供する　請求項１８に記載の方法。
　　【請求項２５】
　空間走査の過程で実現される物理的変位と、測定するために選択されたコンフィギュレーションとの間の誤差を、前記３次元仮想空間に表示することと、測定の空間的誤差を減少させるように３次元入力装置を用いて空間軌道を修正することと、とを有する
　請求項１ないし１８のいずれかに記載の方法及び測定システム。
　　【請求項２６】
　音響光学偏向システムを有するか、またはホログラフィック・スキャナユニットを有する３次元レーザ走査顕微鏡を用いること、または時空間多重化により（すなわち、空間インパルス分離により）３次元走査を実行する３次元レーザ走査顕微鏡を用いること、または機械的に変位可能なレンズを電界で制御することにより３次元走査を実行する３次元レーザ走査顕微鏡を用いること、とを有する
　請求項１８に記載の方法及び測定システム。」
第５　引用文献、引用発明等
１．引用文献１について
　原査定の拒絶の理由４に引用された引用文献１には、図面とともに、次の事項が記載されている。
「【請求項５０】
  
仮想３次元空間内でオペレーションを実行する方法において、
  仮想３次元空間（１６）を視覚化するステップと、
  前記仮想３次元空間（１６）内で実行されるべきオペレーションの位置（Ｐ
１
）を、実３次元空間（１０）内で位置決めすることにより、マーキングするステップと、
  前記実３次元空間（１０）の前記位置（Ｐ
１
）を前記仮想３次元空間（１６）の位置（Ｐ
＊
１
）にマッピングするステップと、
  前記仮想３次元空間（１６）内の前記マッピングされた位置（Ｐ
＊
１
）で前記オペレーションを実行するステップと、
を備え、
  
前記実３次元空間（１０）内で位置決めするステップが、
  位置決め手段（１３５）に固定された少なくとも１台の信号源を前記実３次元空間（１０）の選択された位置（Ｐ１）へ移動するステップ、
  前記選択された位置（Ｐ１）にある前記少なくとも１台の信号源によって放出された信号を、少なくとも２台のイメージセンサによって、検出するステップと、
  前記イメージセンサによって生成された前記信号及び前記イメージセンサの互いに相対的な空間ロケーションに基づいて、前記イメージセンサと相対的な前記
位置決め手段（１３５）の実空間位置（Ｐ
１
）を決定するステップ
を備え
「【請求項５８】
  
位置決めするステップが前記実３次元空間（１０）内で点状ロケーションをマーキングする工程を備える、
【請求項５９】
  位置決めするステップが前記実３次元空間（１０）内で
連続的なセクションをマーキングする工程を備える、
「【技術分野】
【０００１】
  本発明は、仮想３Ｄ空間内で動作するシステム及び方法と、視覚化システムを介して、実行されるべきオペレーションを選択するシステムと方法に関する。」
「【発明を実施するための最良の形態】
【００３６】
  本発明による仮想３Ｄマニピュレーションシステムの機能ブロック図が図１に示されている。」
「【００３７】
  
位置決め手段の位置Ｐ
１
及び姿勢Ｏ
１
は、位置追跡システム１２によって、処理手段Ｗ
０
へ転送され、処理手段Ｗ
０
は、実空間１０の位置Ｐ
１
及び実空間姿勢Ｏ
１
を仮想３次元空間１６内の位置Ｐ
＊
１
及び姿勢Ｏ
＊
１
にマッピングする。実空間１０及び仮想空間１６が一致するならば、
位置Ｐ１は位置Ｐ
＊
１
と一致し、姿勢Ｏ
１
は姿勢Ｏ
＊
１
と一致し、
「【００４９】
  ３Ｄ視覚化システムによって視覚化された仮想３次元空間を、オペレーションを測位するため使用される実３次元空間と正確に一致させるため、３Ｄ視覚化システムを較正しなければならない。」
「【００５５】
  仮想３次元空間及び実３次元空間が本発明による仮想３Ｄマニピュレーションシステム内で一致するならば、視覚化システムを介して所望のオペレーションを選択することが可能である。このようなシステムを実施するため、視覚化システムによって視覚化された画像は、各フィールドが所定の機能を有するアクティブ化可能なフィールドを含むべきである。視覚化システムは３次元画像を視覚化する能力があるので、
実行されるべきオペレーションは、視覚化された仮想空間内で点状のフィールド、２次元フィールド、又は、３次元フィールドをマーキング（例えば、接近、接触、交差など）することによって選択され得る。
オペレーションを選択するシステムは、視覚化システムによって視覚化された画像内でマーキングされた位置と関連付けられたフィールドをアクティブ化する
手段
をさらに備え、「フィールドをアクティブ化する」という用語は、そのフィールドに割り当てられたオペレーションを実行することを意味する。
「【００５８】
  上記の
仮想３Ｄタッチスクリーン
は、位置決め手段によって、
離れた場所において、表示された画像のアクティブ化可能フィールドのマーキングを可能にする。
選択された視覚化システムの基準点が位置追跡のため使用される空間のそれぞれの基準点に割り当てられる
「【００５９】
  本発明による仮想３Ｄマニピュレーションシステムは、仮想空間内でのオペレーションが必要とされるか、又は、好ましい分野、例えば、芸術、科学、教育、娯楽などにおいて、ならびに、
物体を設計し、さらに成形し、又は、回転する
【００６０】
  本発明による仮想３Ｄマニピュレーションシステムを、
技術的プロセスにおいて使用されるロボットアーム、自動機器、工作機械、又は、手術用マニピュレータなどのような実３Ｄマニピュレーションシステムと共に使用する
実空間で実行されるべきオペレーションは、最初に仮想空間で実行され得、仮想空間における結果に満足できるならば、実３Ｄマニピュレーションシステムのアクチュエータが実際にオペレーションを実行するように指令され得る。
　したがって、上記引用文献１には次の発明（以下、「引用発明１」という。）が記載されているものと認められる。
「仮想３次元空間内でオペレーションを実行する方法において、
　仮想３次元空間（１６）を視覚化するステップと、
　前記仮想３次元空間（１６）内で実行されるべきオペレーションの位置（Ｐ１）を、実３次元空間（１０）内で位置決めすることにより、マーキングするステップと、
　前記実３次元空間（１０）の前記位置（Ｐ１）を前記仮想３次元空間（１６）の位置（Ｐ＊１）にマッピングするステップと、
　前記仮想３次元空間（１６）内の前記マッピングされた位置（Ｐ＊１）で前記オペレーションを実行するステップと、
を備え、
　前記実３次元空間（１０）内で位置決めするステップが、
　位置決め手段（１３５）の実空間位置（Ｐ１）を決定するステップと（【請求項５０】より）、前記実３次元空間（１０）内で点状ロケーション、または連続的なセクションををマーキングする工程を備え（【請求項５８】、【請求項５９】より）、
　位置決め手段の位置Ｐ１及び姿勢Ｏ１は、位置追跡システム１２によって、処理手段Ｗ０へ転送され、処理手段Ｗ０は、実空間１０の位置Ｐ１及び実空間姿勢Ｏ１を仮想３次元空間１６内の位置Ｐ＊１及び姿勢Ｏ＊１にマッピングし、実空間１０及び仮想空間１６が一致するならば、位置Ｐ１は位置Ｐ＊１と一致し、姿勢Ｏ１は姿勢Ｏ＊１と一致し（段落【００３７】より）、
　実行されるべきオペレーションは、視覚化された仮想空間内で点状のフィールド、２次元フィールド、又は、３次元フィールドをマーキング（例えば、接近、接触、交差など）することによって選択され得（段落【００５５】より）、
　オペレーションを選択するシステムは、視覚化システムによって視覚化された画像内でマーキングされた位置と関連付けられたフィールドをアクティブ化する処理手段Ｗ５をさらに備え、「フィールドをアクティブ化する」という用語は、そのフィールドに割り当てられたオペレーションを実行することを意味する（段落【００５５】より）、
　方法。」
２．引用文献２について
　原査定の拒絶の理由４において、周知技術を示す文献として引用された引用文献２には、次の事項が記載されている。
「【要約】  
The invention relates to 
a laser scanning microscope (10)
　本発明は、次のものを有する
レーザー走査顕微鏡(10)
３．引用文献３について
　原査定の拒絶の理由４において、周知技術を示す文献として引用された、引用文献３には、次の事項が記載されている。
「【要約】      （修正有）
【課題】観察試料の表面形状を直感的で判りやすく表示することができ、３次元情報取得の操作性を格段に向上することが可能な
走査型共焦点顕微鏡
【解決手段】対物レンズの集光位置と試料の相対的な位置を集束光の光軸方向に治って離散的に繰り返し往復動作させて光強度情報を取得し、抽出した光強度情報に適合する変化曲線上の最大値と相対位置を推定し、輝度情報と高さ情報として取得し、移動機構の反転動作から次の反転動作までの間に取得される各相対位置での試料からの光強度情報を光強度情報群として取り扱い、試料からの非共焦点画像情報を光強度情報とは別に取得し、移動機構の反転動作位置から次の反転動作位置の間に得られる試料の高さ情報を、取得した非共焦点画像情報とともに同一画面上に、移動機構が反転動作位置から次の反転動作位置に移動する毎に試料形状の３Ｄ画像、非共焦点画像を更新して表示する。」
４．引用文献４について
　原査定の拒絶の理由４に引用された引用文献４には、図面とともに、次の事項が記載されている。
「【課題】少ないリソースで、有効な解析を行うことができるようにする。
【解決手段】まず、設定されたＸＹＺ走査領域ＡXYZをプレビュー走査して（Ｓ１２）、プレビュー画像ＩP1ないしＩPnを取得し（Ｓ１３）、クロップ領域ＡC1ないしＡCnを設定する（Ｓ１５ないしＳ１８）。次に、設定されたクロップ領域ＡC1ないしＡCnに基づいて算出した本走査を行う際の各Ｚステップにおけるクロップ領域ＡC1ないしＡCmを本走査して（Ｓ１９，Ｓ２０）、クロップ画像ＩC1ないしＩCmを取得する。そして、取得したクロップ画像ＩC1ないしＩCmから３次元画像を生成することで、少ないリソースで有効な解析を行うことができる。本発明は、例えば、試料Ｓの３次元データを取得する
コンフォーカル顕微鏡
「【００３７】
  ここで、
クロップ領域Ａ
C
とは、元になる画像のうち必要な部分のみを切り出す（クロップ：Crop）走査であるクロップ走査を行う領域を意味する。
【００３８】
  図５ａには、プレビュー走査によって得られたプレビュー画像ＩP1ないしＩPnが、図示されている。これらのプレビュー画像ＩP1ないしＩPnには、試料Ｓの観察対象となる細胞の断面像と観察対象外の細胞の断面像とが表示されているが、これは、例えば、脳組織の神経細胞などでは、１つのプレビュー領域ＡP内に複数の神経軸策が存在することが多くあるため、観察対象の細胞の近くに他の細胞があると、それらの観察対象ではない細胞までプレビュー画像ＩPに表示されることになる。そのため、本実施の形態では、
プレビュー画像Ｉ
P
に表示された
像の中から
クロップ領域Ａ
C
を設定する
【００３９】
  例えば、図５ｂに示すように、
プレビュー画像Ｉ
P1
からクロップ領域Ａ
C
をユーザの操作により設定するには、
ユーザがマウス等の入力装置１３を操作して指定
選択する、
「【００４７】
  そして、
クロップ領域Ａ
C
の設定が確定されると、
プレビュー画像Ｉ
P
にて設定された複数のクロップ領域Ａ
C1
ないしＡ
Cn
に基づいて、本走査を行う
【００４８】
  本実施の形態では、対物レンズ４１及びステージ４２は、ピエゾ駆動装置（不図示）によりＺ方向（光軸方向）に駆動されるので、例えば、対物レンズ４１を、25nmずつ段階的にＺ方向に移動させることが可能である。つまり、
本走査では、
プレビュー走査よりも細かい間隔で段階的に移動しながら、各Ｚステップにおけるクロップ領域ＡCを走査する
　よって、引用文献４には、次の技術的事項が記載されていると認められる。
「クロップ領域ＡCとは、元になる画像のうち必要な部分のみを切り出す（クロップ：Crop）走査であるクロップ走査を行う領域を意味し（段落【００３７】）、プレビュー画像ＩPに表示された像の中からクロップ領域ＡCを設定する（段落【００３８】より）が、プレビュー画像ＩP1からクロップ領域ＡCをユーザの操作により設定するには、ユーザがマウス等の入力装置１３を操作して指定、選択し（段落【００３９】より）、クロップ領域ＡCの設定が確定されると、プレビュー画像ＩPにて設定された複数のクロップ領域ＡC1ないしＡCnに基づいて、本走査を行う(段落【００４７】より)が、本走査では、プレビュー走査よりも細かい間隔で段階的に移動しながら、各Ｚステップにおけるクロップ領域ＡCを走査する（段落【００４８】より）、クロップ走査（段落【００３７】より）技術。」
第６　対比・判断
１．本願発明１について
（１）対比
　本願発明１と引用発明１を対比すると、次のことがいえる。
ア　引用発明１における「仮想３次元空間（１６）」、「実空間１０」が、それぞれ、本願発明１における「３次元仮想空間」、「実空間領域」に相当する。
イ　引用発明１における「仮想３次元空間（１６）を視覚化する」装置により、「実空間１０及び仮想空間１６が一致する」ようにすることと、本願発明１における「前記測定空間から離隔した実空間領域内に、前記３次元仮想現実装置を用いて、前記測定空間の３次元仮想空間をを作成すること」とは、「前記測定空間から離隔した実空間領域内に、前記３次元仮想現実装置を用いて、前記測定空間の３次元仮想空間を作成すること」の点で共通する。
ウ　引用発明１における「位置決め手段」は、「実３次元空間（１０）内で点状ロケーション、または連続的なセクションをマーキングする」ことで、「実行されるべきオペレーション」を「選択」するものであるから、本願発明１における「オペレーション（人間の手術を除く）を選択するための３次元入力装置」に相当する。
エ　引用発明１では、「位置決め手段の位置Ｐ１及び姿勢Ｏ１」について、「実空間１０の位置Ｐ１及び実空間姿勢Ｏ１を仮想３次元空間１６内の位置Ｐ＊１及び姿勢Ｏ＊１にマッピングし、実空間１０及び仮想空間１６が一致するならば、位置Ｐ１は位置Ｐ＊１と一致し、姿勢Ｏ１は姿勢Ｏ＊１と一致」するようにしているから、引用発明１において「仮想３次元空間（１６）を視覚化する」装置が、「位置決め手段」の「実空間１０の位置Ｐ１及び実空間姿勢Ｏ１」が「仮想３次元空間１６内の位置Ｐ＊１及び姿勢Ｏ＊１」と「一致」するようにしていることが、本願発明１における「前記３次元入力装置の空間位置が仮想３次元入力装置の空間位置と一致するか、または、それに対して所定の空間ベクトルでオフセットするように、前記３次元仮想現実装置を用いて前記仮想３次元入力装置を作成すること」に相当する。
オ　引用発明１において、「位置決め手段の位置Ｐ１及び姿勢Ｏ１は、位置追跡システム１２によって」追跡され、「位置決め手段」によって「実３次元空間（１０）内で点状ロケーション、または連続的なセクションをマーキングする」ことで、「実行されるべきオペレーション」を「選択」することと、本願発明１における「前記３次元入力装置の実空間位置を追跡し、前記仮想３次元入力装置を前記仮想空間の対応する位置に表示し、前記仮想３次元入力装置によって前記仮想空間でオペレーションを選択することを許可すること」とは、「前記３次元入力装置の実空間位置を追跡し、前記仮想３次元入力装置を前記仮想空間の対応する位置に表示し、前記仮想３次元入力装置によって前記仮想空間でオペレーションを選択することを許可すること」の点で共通する。
カ　引用発明１では、「「フィールドをアクティブ化する」という用語は、そのフィールドに割り当てられたオペレーションを実行することを意味する」から、引用発明１において、「オペレーションを選択するシステムは、視覚化システムによって視覚化された画像内でマーキングされた位置と関連付けられたフィールドをアクティブ化する処理手段Ｗ５をさらに備え」ることと、本願発明１における「前記仮想空間で選択されたオペレーションが前記測定空間で実行されて、前記測定空間で測定されたデータが前記仮想空間でリアルタイムに表示されるように、前記測定空間と前記仮想空間との間に双方向のリアルタイム接続を提供すること」とは、「前記仮想空間で選択されたオペレーションが前記測定空間で実行され」る点で共通する。
　したがって、本願発明１と引用発明１との間には、次の一致点、相違点があるといえる。
（一致点）
「３次元仮想現実装置を前記測定システムに設けることと、
　実空間領域内に、前記３次元仮想現実装置を用いて、３次元仮想空間を作成することと、
　オペレーション（人間の手術を除く）を選択するための３次元入力装置を前記３次元仮想現実装置に設けることと、
　前記３次元入力装置の空間位置が仮想３次元入力装置の空間位置と一致するか、または、それに対して所定の空間ベクトルでオフセットするように、前記３次元仮想現実装置を用いて前記仮想３次元入力装置を作成することと、
　前記３次元入力装置の実空間位置を追跡し、前記仮想３次元入力装置によって前記仮想空間でオペレーションを選択することを許可することと、
　前記仮想空間で選択されたオペレーションが前記測定空間で実行されること、
　とを有することを特徴とする方法。」
（相違点１）
　本願発明１では、「３次元測定空間を有するとともに、その３次元測定空間で動作するレーザ走査顕微鏡を備えた測定システムによる、試料の３次元測定のための方法であって、３次元仮想現実装置を前記測定システムに設け」、実空間領域は、「前記測定空間から離隔」しており、３次元仮想空間は「前記測定空間」の３次元仮想空間であり、「前記測定空間で測定されたデータが前記仮想空間でリアルタイムに表示されるように、前記測定空間と前記仮想空間との間に双方向のリアルタイム接続を提供」しているのに対し、引用発明１は、「仮想３次元空間内でオペレーションを実行する方法」であって、仮想３次元空間（１６）と実３次元空間（１０）とを備えているものの、３次元測定空間を有するものではない点。
（相違点２）
　本願発明１では、「仮想３次元入力装置を前記仮想空間の対応する位置に表示」しているのに対し、引用発明１では、位置決め手段（１３５）を仮想３次元空間（１６）に表示することは示されていない点。
（２）相違点についての判断
　上記相違点１について検討すると、引用文献２〜４には、試料の３次元測定のためのレーザ走査顕微鏡が記載されているものの、レーザ走査顕微鏡による３次元測定空間で測定されたデータが、これとは離間した３次元仮想空間にリアルタイムに表示されるようにすることは、何ら記載されていない。
　
　また、引用発明１において、引用文献１の段落【００５８】に記載されているように「上記の仮想３Ｄタッチスクリーン（又は、特殊なケースの２Ｄタッチスクリーン）」が「位置決め手段によって」、「離れた場所において、表示された画像のアクティブ化可能フィールドのマーキングを可能に」したとしても、レーザ走査顕微鏡による３次元測定空間で測定されたデータが、これとは離間した３次元仮想空間にリアルタイムに表示される構成とはならない。
　さらに、引用発明１において、引用文献１の段落【００５９】、【００６０】に記載されているように、「物体を設計し、さらに成形し、又は、回転する」など、「技術的プロセスにおいて使用されるロボットアーム、自動機器、工作機械、又は、手術用マニピュレータなどのような実３Ｄマニピュレーションシステムと共に使用する」としても、該使用について、引用文献１の段落【００６０】には、「これらのアプリケーションでは、実空間で実行されるべきオペレーションは、最初に仮想空間で実行され得、仮想空間における結果に満足できるならば、実３Ｄマニピュレーションシステムのアクチュエータが実際にオペレーションを実行するように指令され得る。」と記載されているのであるから、引用発明１を「実３Ｄマニピュレーションシステムと共に使用する」ようにしたとしても、やはり、レーザ走査顕微鏡による３次元測定空間で測定されたデータが、これとは離間した３次元仮想空間にリアルタイムに表示される構成とはならない。
（３）小括
　よって、相違点２について判断するまでもなく、引用文献１の【００５８】〜【００６０】に記載された事項を参酌しても、本願発明１は、引用発明１及び引用文献２〜４に記載された技術的事項に基づいて当業者が容易に発明をすることができたとはいえない。
２．本願発明２〜１８、２１〜２６について
　本願発明２〜１８、２１〜２６も、上記「１．」「（１）対比」に記載した、相違点１に係る本願発明１の構成と同一の構成を備えるものであるから、本願発明１と同様の理由により、当業者であっても、引用発明１及び引用文献２〜６に記載された技術的事項に基づいて当業者が容易に発明をすることができたとはいえない。
３．本願発明１９〜２０について
　本願発明１９と引用発明１とを対比すると、両者は、少なくとも、次の点で相違する。
（相違点Ａ）
　本願発明１９では、「３次元測定空間を有するとともに、その３次元測定空間で動作するレーザ走査顕微鏡を備えた測定システムによる、試料の３次元測定のための方法であって、３次元仮想現実装置を前記測定システムに設け」、実空間領域は、「前記測定空間から離隔」しており、３次元仮想空間は「前記測定空間」の３次元仮想空間であり、「前記測定空間で測定されたデータが前記仮想空間でリアルタイムに表示されるように、前記測定空間と前記仮想空間との間にリアルタイム接続を提供」しているのに対し、引用発明１は、「仮想３次元空間内でオペレーションを実行する方法」であって、仮想３次元空間（１６）と実３次元空間（１０）とを備えているものの、３次元測定空間を有するものではない点。
　そこで検討すると、上記相違点Ａは、上記「１．」「（２）相違点についての判断」で述べたとおり、引用文献１の段落【００５８】〜【００６０】に記載された事項を参酌しても、引用発明１及び引用文献２〜４に記載された技術的事項に基づいて当業者が容易になし得たことではない。
　よって、本願発明１９は、引用発明１及び引用文献２〜４に記載された技術的事項に基づいて当業者が容易に発明をすることができたとはいえない。
　また、本願発明２０も、上記相違点Ａに係る本願発明１９と同一の構成を備えるものであるから、本願発明１９と同じ理由により、引用発明１及び引用文献２〜４に記載された事項に基づいて当業者が容易に発明をすることができたとはいえない。
第７　原査定について
１．理由２（明確性）について
（１）本件補正により、請求項２２は、「前記３次元測定を前記レーザ走査顕微鏡の複数の周波数で同時または略同時に行う」と補正され、請求項２３は、「前記レーザ走査顕微鏡の複数の周波数で測定すること」と補正された。
　これにより周波数が「レーザ走査顕微鏡」の周波数であることが明確になった。
　したがって、原査定の理由２を維持することはできない。
２．理由３（産業上の利用可能性）について
（１）本件補正により、特許請求の範囲の請求項１に記載された「オペレーション」については、「オペレーション（人間の手術を除く）」補正され、請求項１〜１８に係る発明について、選択される「オペレーション」から、人間に対する医療行為が排除された。
　したがって、原査定の理由３を維持することはできない。
３．理由４（進歩性）について
　上記のとおり、本願発明１〜２６は、引用発明１及び引用文献２〜６に記載された事項に基づいて当業者が容易に発明をすることができたとはいえない。
  したがって、原査定の理由４を維持することはできない。
第８　むすび
　以上のとおり、原査定の理由によっては、本願を拒絶することはできない。
　また、他に本願を拒絶すべき理由を発見しない。
　よって、結論のとおり審決する。